(57)【特許請求の範囲】
【請求項１】
第１及び第２カーテンレール(11,12)が並列に配置され、パネルスクリーン(16)の上縁の長手方向の両端部に第１及び第２ランナ(13,14)が設けられ、前記第１ランナ(13)が前記第１カーテンレール(11)に走行可能に設けられ、前記第２ランナ(14)が前記第２カーテンレール(12)に走行可能に設けられた遮蔽装置において、
第１及び第２ランナ(13,14)にパネルスクリーン(16)の上縁が揺動部材(22)を介して取付けられ、
前記揺動部材(22)が前記パネルスクリーン(16)の長手方向に直交する幅方向に揺動することにより前記パネルスクリーン(16)は第１及び第２カーテンレール(11,12)の長手方向に直交する前記パネルスクリーン(16)の前面側又は後面側に移動可能に構成され、
前記パネルスクリーン(16)は、前記第１及び第２カーテンレール(11,12)に沿って設けられ両端部に前記第１ランナ(13)及び前記第２ランナ(14)が設けられた棒状の吊桿(17)と、前記吊桿(17)に吊設された前記カーテン生地(18)とを備え、
前記カーテン生地(18)は上部が前記面ファスナ(23)を介して前記吊桿(17)に取付けられ、
前記棒状の吊桿(17)に長手方向に移動可能な上部スライダ(24)が設けられ、
一のパネルスクリーン(16)の前記上部スライダ(24)が前記一のパネルスクリーン(16)に隣接する他のパネルスクリーンの吊桿(17)に連結材(26)により連結された
ことを特徴とする遮蔽装置。
【請求項２】
パネルスクリーン(16)は、吊桿(17)に吊設されたカーテン生地(18)の下部に面ファスナを介して取付けられたウエイトバー(19)を有し、前記ウエイトバー(19)に長手方向に移動可能な下部スライダが設けられ、一のパネルスクリーン(16)の下部スライダが前記一のパネルスクリーン(16)に隣接する他のパネルスクリーン(16)のウエイトバー(19)に連結材により連結された請求項１記載の遮蔽装置。
【発明の詳細な説明】
【技術分野】
【０００１】
本発明は、複数のパネルスクリーンをカーテンレールに吊設して構成され、屋内を間仕切り、或いは、屋内の開口部を遮蔽するためにその複数のパネルスクリーンを開閉操作して使用される遮蔽装置に関するものである。
【背景技術】
【０００２】
従来、棒状の吊桿にカーテン生地、シート状物又は板材を吊設させた複数枚のパネルスクリーンにより屋内を間仕切り、或いは、屋内の開口部を遮蔽する遮蔽装置が知られている。この複数のパネルスクリーンを有する遮蔽装置においては、そのパネルスクリーンを引き出した際に、隣り合うパネルスクリーンとの間に重なりを持たせるため、１枚若しくは２枚のパネルスクリーンを吊設する毎に１条のカーテンレールを必要としていた。そのため、例えば４枚のパネルスクリーンを吊設する際には、４条若しくは２条のカーテンレールによってパネルスクリーンを吊設する必要があった。このように、パネルスクリーンを吊設するカーテンレールの数はパネルスクリーンの枚数に応じて決定されており、パネルスクリーンの枚数が増加すればするほどカーテンレールの数が増加し、パネルスクリーンを設置するために必要となるスペースが大きくなるという問題点があった。
【０００３】
この点を解消するために、パネルスクリーンをカーテンレールに対して水平方向において僅かに傾斜させて吊設することで、パネルスクリーンの枚数に関係なく２本のカーテンレールにてパネルスクリーンを開閉可能に支持した遮蔽装置が提案されている（例えば、特許文献１参照）。具体的に説明すると、この遮蔽装置では、第1及び第2カーテンレールを並列に配置し、パネルスクリーンの上縁の長手方向の両端に第１及び第２ランナを設け、その第１ランナを第１カーテンレールに走行可能に設け、第２ランナを第２カーテンレールに走行可能に設ける。するとパネルスクリーンの上縁はその長手方向がカーテンレールの長手方向に対して水平面内において僅かに傾斜し、畳み込み操作時には隣り合うパネルスクリーンの重なりを大きくすることで開度を大きくし、引き出し操作時には隣り合うパネルスクリーンの重なりを小さくすることにより、複数枚のパネルスクリーンにより屋内を間仕切り、或いは屋内の開口部を遮蔽するようになっている。
【特許文献１】実公平１−７８３０号公報（実用新案登録請求の範囲、第１図）
【発明の開示】
【発明が解決しようとする課題】
【０００４】
しかし、パネルスクリーンの上縁をカーテンレールに対して水平面内において傾斜させ、第１及び第２カーテンレールにその傾斜させたパネルスクリーンを開閉可能に吊設した上記従来の遮蔽装置では、第１及び第２カーテンレールの間隔によりパネルスクリーンの傾斜角度が決定される。このため、その第１及び第２カーテンレールの間隔を狭くしてカーテンレールに対するパネルスクリーンの傾斜角度を小さくすると、畳み込み操作時に隣り合うパネルスクリーンとの重なりを大きくすることができずに、畳み込み操作時に重なり合う複数のパネルスクリーンの全体のカーテンレールの長手方向における畳み代が拡大する不具合があった。一方、第１及び第２カーテンレールの間隔を広げてカーテンレールに対するパネルスクリーンの傾斜角度を大きくすると、畳み込み操作時に隣り合うパネルスクリーンとの重なりが大きくなり、その畳み代を減少させることができるけれども、引き出し操作時に隣り合うパネルスクリーンと間に生じる隙間が拡大して遮蔽効果が減少する不具合があった。
本発明の目的は、畳み込み操作時における畳み代を減少させるとともに、引き出し操作時に生じるパネルスクリーン間の隙間を減少し得る遮蔽装置を提供することにある。
【課題を解決するための手段】
【０００５】
請求項１に係る発明は、図１、図５及び図７に示すように、第１及び第２カーテンレール１１，１２が並列に配置され、パネルスクリーン１６の上縁の長手方向の両端部に第１及び第２ランナ１３，１４が設けられ、第１ランナ１３が第１カーテンレール１１に走行可能に設けられ、第２ランナ１４が第２カーテンレール１２に走行可能に設けられた遮蔽装置の改良である。
その特徴ある構成は、第１及び第２ランナ１３，１４にパネルスクリーン１６の上縁が揺動部材２２を介して取付けられ、揺動部材２２が前記パネルスクリーン(16)の長手方向に直交する幅方向に揺動することによりパネルスクリーン１６は第１及び第２カーテンレール１１，１２の長手方向に直交するパネルスクリーン１６の前面側又は後面側に移動可能に構成され、パネルスクリーン１６は、第１及び第２カーテンレール１１，１２に沿って設けられ両端部に第１ランナ１３及び第２ランナ１４が設けられた棒状の吊桿１７と、吊桿１７に吊設されたカーテン生地１８とを備え、カーテン生地１８は上部が面ファスナ２３を介して吊桿１７に取付けられ、棒状の吊桿１７に長手方向に移動可能な上部スライダ２４が設けられ、一のパネルスクリーン１６の上部スライダ２４が一のパネルスクリーン１６に隣接する他のパネルスクリーンの吊桿１７に連結材２６により連結されたところにある。
【０００６】
この請求項１に記載された遮蔽装置では、複数のパネルスクリーン１６を畳み込むと、パネルスクリーン１６はそれぞれ前面側又は後面側に移動し、第１及び第２カーテンレール１１，１２の長手方向に直交する方向、即ちパネルスクリーン１６の前面側及び後面側において複数のパネルスクリーン１６は互いに重なり合う。このため、隣り合うパネルスクリーン１６との重なり代は大きくなり、畳み込み時に重なり合う複数のパネルスクリーン１６全体のカーテンレール１１，１２の長手方向における幅で表される畳み代を著しく減少させることができる。
一方、複数枚のパネルスクリーン１６を引き出して屋内を間仕切り、或いは、屋内の開口部をその複数枚のパネルスクリーン１６で遮蔽すると、隣り合うパネルスクリーン１６との重なり代は小さくなり、前面側又は後面側に移動していたパネルスクリーン１６はそれぞれ中立位置に復元するので、引き出し操作時における一のパネルスクリーン１６の側端部と、それに隣接するパネルスクリーン１６の重なり合う側端部との間に生じる隙間を減少させることができる。
【０００７】
また、請求項１に記載された遮蔽装置では、面ファスナ２３を介してカーテン生地１８を吊桿１７に取付けるので、季節や気分等にあわせて異なる模様や色柄を有する複数種類のカーテン生地１８を吊桿１７に取付けることが可能になり、吊桿１７から取外すことによりカーテン生地１８のみの洗浄も可能となる。
【０００８】
更に、請求項１に記載された遮蔽装置では、畳み込み状態から引き出し端のパネルスクリーン１６を引き出すと、その吊桿１７に連結材２６を介して連結された隣接するパネルスクリーン１６における上部スライダ２４は、その隣接するパネルスクリーン１６の吊桿１７においてその長手方向に移動する。引き出し端のパネルスクリーン１６の引き出しを継続すると、隣接するパネルスクリーン１６における上部スライダ２４は吊桿１７の移動可能な範囲の端部にまで至り、その吊桿１７上においてその移動を停止する。引き出し端のパネルスクリーン１６の引き出しを更に継続すると、その吊桿１７に連結材２６を介して連結された隣接するパネルスクリーン１６における上部スライダ２４はその吊桿１７と一体となってその隣接するパネルスクリーン１６を引っ張り、引き出し端のパネルスクリーン１６の移動にあわせてその隣接するパネルスクリーン１６を移動させる。よって、この請求項３に記載された遮蔽装置では、畳み込み状態の複数枚のパネルスクリーン１６を引き出す際に、引き出し端のパネルスクリーン１６を引き出すだけで、それに連動して隣接するパネルスクリーン１６を順次引き出すことが可能となる。
【０００９】
請求項２に係る発明は、請求項１に係る発明であって、パネルスクリーン１６は、吊桿１７に吊設されたカーテン生地１８の下部に面ファスナを介して取付けられたウエイトバー１９を有し、ウエイトバー１９に長手方向に移動可能な下部スライダが設けられ、一のパネルスクリーン１６の下部スライダが一のパネルスクリーン１６に隣接する他のパネルスクリーン１６のウエイトバー１９に連結材により連結されたことを特徴とする。
この請求項２に記載された遮蔽装置では、畳み込み状態から引き出し端のパネルスクリーン１６を引き出すと、そのウエイトバー１９に連結材を介して連結された隣接するパネルスクリーン１６における下部スライダは、その隣接するパネルスクリーン１６のウエイトバー１９においてその長手方向に移動し、その移動可能な範囲の端部にまで至り、そのウエイトバー１９上においてその移動を停止する。引き出し端のパネルスクリーン１６の引き出しを更に継続すると、そのウエイトバー１９に連結材を介して連結された隣接するパネルスクリーン１６における下部スライダはそのウエイトバー１９と一体となってその隣接するパネルスクリーン１６を引っ張って、その隣接するパネルスクリーン１６を移動させる。よって、この請求項４に記載された遮蔽装置では、畳み込み状態の複数枚のパネルスクリーン１６を引き出す際に、パネルスクリーン１６の下部を構成するウエイトバー１９が必要以上にその前面側又は後面側に移動することを防止しつつ、パネルスクリーン１６を順次引き出すことができる。
【発明の効果】
【００１０】
本発明の遮蔽装置では、第１及び第２ランナにパネルスクリーンの上縁を揺動部材を介して取付け、パネルスクリーンがその前面側又は後面側に移動可能に構成したので、複数のパネルスクリーンを畳み込むと、パネルスクリーンはそれぞれ前面側又は後面側に移動し、第１及び第２カーテンレールの長手方向に直交する方向に複数のパネルスクリーンが互いに重なり合う。このため、隣り合うパネルスクリーンとの重なり代は大きくなり、畳み込み時に重なり合う複数のパネルスクリーン全体のカーテンレールの長手方向における幅で表される畳み代を著しく減少させることができる。一方、複数枚のパネルスクリーンを引き出すと、前面側又は後面側に移動していたパネルスクリーンはそれぞれ中立位置に復元するので、引き出し操作時における一のパネルスクリーンの側端部と、それに隣接するパネルスクリーンの重なり合う側端部との間に生じる隙間を減少させることができる。
【００１１】
また、パネルスクリーンが棒状の吊桿と面ファスナを介してそこに吊設されたカーテン生地とを備えれば、異なる模様や色柄を有する複数種類のカーテン生地を吊桿に取付けることが可能になる。そして、その吊桿に移動可能な上部スライダを設け、その上部スライダを隣接する他のパネルスクリーンに連結材により連結することにより、引き出し端のパネルスクリーンを引き出すだけで、それに連動して隣接するパネルスクリーンを順次引き出すことが可能となる。
更に、パネルスクリーンが、吊桿に吊設されたカーテン生地の下部に取付けられたウエイトバーを有するものであれば、そのウエイトバーに移動可能な下部スライダを設け、その下部スライダを隣接する他のパネルスクリーンのウエイトバーに連結材により連結することにより、畳み込み状態の複数枚のパネルスクリーンを引き出す際に、パネルスクリーンの下部を構成するウエイトバーが必要以上にその前面側又は後面側に移動することを防止しつつ、パネルスクリーンを順次引き出すことができる。
【発明を実施するための最良の形態】
【００１２】
次に本発明を実施するための最良の形態を図面に基づいて説明する。
図１に示すように、本発明の遮蔽装置１０は、互いに所定の間隔をあけて並列に配置された第1及び第２カーテンレール１１，１２を備える。この実施の形態における第１及び第２カーテンレール１１，１２は金属又は樹脂の押出成形により作られ、それらは隣接して一体的に形成される。そしてこの第１及び第２カーテンレール１１，１２はそれぞれが同一の断面形状に形成される。即ち、第１及び第２カーテンレール１１，１２は、断面が四角形であって長手方向に連続して形成された第１及び第２空間１１ａ，１２ａと、この第１及び第２空間１１ａ，１２ａの幅より小さな幅を有し、この第１及び第２空間１１ａ，１２ａの下部をその下方に存在する外部に開放する第１及び第２スリット１１ｂ，１２ｂを備える。この一体的に形成された第１及び第２カーテンレール１１，１２は、取付ブラケット１５を介して水平であってかつ真っ直ぐな状態で壁面に固定される。
【００１３】
本発明の遮蔽装置１０は、第１カーテンレール１１に走行可能に設けられた第１ランナ１３と、第２カーテンレール１２に走行可能に設けられた第２ランナ１４を備える。第１ランナ１３と第２ランナ１４は同一構造であるので、第２ランナ１４を代表して説明すると、このランナ１４は、第２カーテンレール１２における第２スリット１２ｂの幅より大きく第２空間１２ａの幅より小さな外径を有する円板状の２枚のフランジ１４ａ，１４ｂが、第２スリット１２ｂの幅より小さな外径を有する断面円形のボス１４ｄを介して積層された構造を有し、下段のフランジ１４ｂには取付片１４ｆが下方に突出して設けられ、その取付片１４ｆには取付孔１４ｇが形成される。そして、上段のフランジ１４ａを第２カーテンレール１２における第２空間１２ａに挿入し、その上段のフランジ１４ａと下段のフランジ１４ｂを接続するボス１４ｄを第２カーテンレール１２の第２スリット１２ｂに挿入することにより、この第２ランナ１４は、第２カーテンレール１２を長手方向に移動可能に構成される。そして、同様に、第１ランナ１３の上段のフランジ１３ａを第１カーテンレール１１における第１空間１１ａに挿入し、その上段のフランジ１３ａと下段のフランジ１３ｂを接続するボス１３ｄを第１カーテンレール１１の第１スリット１１ｂに挿入することにより、この第１ランナ１３は、第１カーテンレール１１を長手方向に移動可能に構成される。
【００１４】
また、本発明の遮蔽装置１０は、上縁が上述した第１及び第２ランナ１３，１４に吊持されるパネルスクリーン１６を備える。この実施の形態におけるパネルスクリーン１６は、図１及び図２に示すように、その上部を形成し第１ランナ１３及び第２ランナ１４に吊持される棒状の吊桿１７と、その吊桿１７に吊設されたカーテン生地１８と、このカーテン生地１８の下部に取付けられたウエイトバー１９とを備える。この吊桿１７は金属又は樹脂の押出成形材からなる板材であって、図５に示すようにその断面形状にあってはその上端及び下端がパネルスクリーン１６の後面側にそれぞれ折り返され、互いに対向する凹溝が上下にそれぞれ形成される。そして、この吊桿１７の両端には、第１及び第２ランナ１３，１４を取付けるための取付部材２１が取付けられる。
【００１５】
図４〜図６に示すように、この取付部材２１は、吊桿１７の上下における凹溝にその上縁及び下縁が挿入されてその吊桿１７の端部に挿入される平板状の挿入部２１ａと、その挿入部２１ａの端縁にその挿入部２１ａと一体的に形成された取付部本体２１ｂとを備える。挿入部２１ａには、その中央部分に挿入方向を底とするＵ字状の切欠き２１ｃが形成される。このＵ字状の切欠き２１ｃにより包囲された部分により弾性片２１ｄが形成され、その弾性片２１ｄの挿入方向端部には吊桿１７側に突出する係止用突起２１ｅが形成される。この係止用突起２１ｅに対応する吊桿１７にはその係止用突起２１ｅの外径に相応する係止孔１７ａが形成され、挿入部２１ａを吊桿１７の端部から挿入すると、弾性片２１ｄは弾性変形して係止用突起２１ｅを吊桿１７から遠ざける。そして係止用突起２１ｅが係止孔１７ａに対向した段階で復元して係止用突起２１ｅが係止孔１７ａに挿入して係止され、これにより取付部材２１はこの吊桿１７の長手方向の両端にそれぞれ取付けられる。
【００１６】
図１に戻って、取付部材２１の取付部本体２１ｂにはその上部に被取付孔２１ｆが形成される。この被取付孔２１ｆと第１ランナ１３及び第２ランナ１４における取付孔１３ｇ，１４ｇとの間には長円状に加工されたリングからなる揺動部材２２により連結される。即ち、パネルスクリーンを構成する吊桿１７は、この取付部材２１及び揺動部材２２を介して第１ランナ１３及び第２ランナ１４に吊持される。そして、図１の拡大図に示すように、この揺動部材２２はパネルスクリーン１６の上縁にその長手方向に直交する幅方向に揺動することにより第1及び第２ランナ１３，１４に対してパネルスクリーンは第1及び第2カーテンレール１１，１２の長手方向に直交する幅方向である、パネルスクリーン１６の前面側又は後面側に移動可能に構成される。
【００１７】
図５に示すように、この吊桿１７の室内側の片面には長手方向に面ファスナの一方２３ａが添着され、カーテン生地１８の上部には長手方向に面ファスナの他方２３ｂが添着される。そして、このカーテン生地１８の上部はこの面ファスナ２３を介して吊桿１７に取外し可能に取付けられる。図１〜図３に戻って、カーテン生地１８の下部に取付けられたウエイトバー１９は吊桿１７と同一構造のものが用いられる。図示しないが、このウエイトバー１９のパネルスクリーン１６の前面側の片面には長手方向に面ファスナの一方が添着され、カーテン生地１８の下部には長手方向に面ファスナの他方が添着される。そして、このカーテン生地１８の下部にはこの面ファスナを介してウエイトバー１９が取外し可能に取付けられる。カーテン生地１８の添着は上下方向で対称構造となるため、上下を反転しても添着可能であり、意匠上の多様性を得ることができる。
【００１８】
図７及び図８に示すように、棒状の吊桿１７には、その長手方向に移動可能な上部スライダ２４が設けられる。この上部スライダ２４は、上下が吊桿１７の上下に形成された溝に挿入されてその吊桿１７に対して長手方向に移動可能に構成された平板部２４ａと、その平板部２４ａの端縁に吊桿１７から遠ざかるようにその平板部２４ａと一体的に形成された立上り部２４ｂとを備える。この上部スライダ２４における立上り部２４ｂには、連結材であるチェーン２６の一端が取付けられ、そのチェーン２６の他端はそのパネルスクリーン１６に隣接する他のパネルスクリーン１６の吊桿１７に連結される。具体的には他の吊桿１７の端部に取付けられた取付部材２１に接続される。
【００１９】
一方、図示しないが、ウエイトバー１９にも、その長手方向に移動可能な下部スライダが設けられ、一のパネルスクリーン１６の下部スライダが一のパネルスクリーン１６に隣接する他のパネルスクリーン１６のウエイトバー１９に連結材により連結される。この下部スライダの構造は上部スライダ２４を他のパネルスクリーン１６の吊桿１７に連結材により連結する構造と同一であるので、詳細な説明を省略する。
【００２０】
図１に戻って、パネルスクリーン１６の上縁に設けられた第１及び第２ランナ１３，１４の内の一方である第１ランナ１３は第１カーテンレール１１に走行可能に設けられ、他方である第２ランナ１４は第２カーテンレール１２に走行可能に設けられる。従って、図３に示すように、パネルスクリーン１６は互いに並設された第１及び第２カーテンレール１１，１２に対して水平方向において僅かに傾斜してその第１及び第２カーテンレール１１，１２に吊設される。また、図２に示す符号２７は、引き出し端のパネルスクリーン１６における取付部材２１に吊持され、そのパネルスクリーン１６を第１及び第２カーテンレール１１，１２に沿って移動させるための操作ハンドル２７を示す。
【００２１】
このように構成された本発明の遮蔽装置では、複数のパネルスクリーン１６を畳み込むと、図１に示すように互いに重なり合うパネルスクリーン１６はそれぞれ前面側又は後面側に移動し、第１及び第２カーテンレール１１，１２の長手方向に直交する方向、即ちパネルスクリーン１６の前面側及び後面側において複数のパネルスクリーン１６は互いに重なり合う。このため、図３に示すように、隣り合うパネルスクリーン１６との重なり代は大きくなり、畳み込み時に重なり合う複数のパネルスクリーン１６全体のカーテンレール１１，１２の長手方向における幅Ｈで表される畳み代を著しく減少させることができる。
【００２２】
一方、複数枚のパネルスクリーン１６を引き出して屋内を間仕切り、或いは、屋内の開口部をその複数枚のパネルスクリーン１６で遮蔽すると、隣り合うパネルスクリーン１６との重なり代は小さくなり、前面側又は後面側に移動していたパネルスクリーン１６はそれぞれ中立位置に復元する。このため、引き出し操作時における一のパネルスクリーン１６の側端部と、それに隣接するパネルスクリーン１６の重なり合う側端部との間に生じる隙間Ｄ（図３）は減少し、隣り合うパネルスクリーンと間に生じる隙間Ｄが拡大して遮蔽効果が減少するような事態を有効に回避することができる。
【００２３】
ここで、本発明の遮蔽装置により屋内を間仕切り、或いは、屋内の開口部を遮蔽するには、畳み込み状態の複数枚のパネルスクリーン１６を順次引き出す必要がある。この実施の形態では、パネルスクリーン１６の吊桿１７に移動可能な上部スライダ２４を設け、その上部スライダ２４を隣接する他のパネルスクリーンの吊桿１７に連結材２６により連結したので、操作ハンドル３７を操作して畳み込み状態から引き出し端のパネルスクリーン１６を引き出すと、図７及び図８に示すように、その吊桿１７に連結材２６を介して連結された隣接するパネルスクリーン１６における上部スライダ２４は、その隣接するパネルスクリーン１６の吊桿１７においてその長手方向に移動する。引き出し端のパネルスクリーン１６の引き出しを継続すると、隣接するパネルスクリーン１６における上部スライダ２４は吊桿１７の移動可能な範囲の端部にまで至り、その吊桿１７上においてその移動を停止する。
【００２４】
そして、引き出し端のパネルスクリーン１６の引き出しを更に継続すると、その吊桿１７に連結材２６を介して連結された隣接するパネルスクリーン１６における上部スライダ２４はその吊桿１７と一体となってその隣接するパネルスクリーン１６を引っ張り、引き出し端のパネルスクリーン１６の移動にあわせてその隣接するパネルスクリーン１６を移動させる。よって、畳み込み状態の複数枚のパネルスクリーン１６を引き出す際に、引き出し端のパネルスクリーン１６を引き出すだけで、それに連動して隣接するパネルスクリーン１６を順次引き出すことが可能となる。そして、パネルスクリーン１６を構成するカーテン生地１８の側端部を、隣り合うパネルスクリーン１６のカーテン生地１８の側端部に重なり合させることにより、複数枚のパネルスクリーン１６による遮蔽が行われ、この遮蔽状態では、畳み込み状態で前面側又は後面側に移動していたパネルスクリーン１６がそれぞれ中立位置に復元し、あるパネルスクリーン１６の側端部と、それに隣接するパネルスクリーン１６の重なり合う側端部との間に生じる隙間Ｄ（図３）が最小となる。
【００２５】
また、この実施の形態では、ウエイトバー１９にも移動可能な下部スライダを設け、その下部スライダを隣接する他のパネルスクリーン１６のウエイトバー１９に連結材により連結したので、パネルスクリーン１６の下部を構成するウエイトバー１９が必要以上にその前面側又は後面側に移動することを防止することができる。そして、パネルスクリーン１６を引き出すと、その下部スライダはその移動可能な範囲の端部にまで至り、そのウエイトバー１９上において停止して連結材を介して連結された隣接するパネルスクリーン１６を引っ張る。このため、畳み込み状態の複数枚のパネルスクリーン１６を引き出す際に、パネルスクリーン１６の下部を構成するウエイトバー１９が必要以上にその前面側又は後面側に移動することを防止しつつ、順次パネルスクリーン１６を速やかに引き出すことを可能にする。
【００２６】
なお、上述した実施の形態では、第１及び第２カーテンレール１１，１２が押出成形により隣接して一体的に形成される場合を説明したが、第１及び第２カーテンレール１１，１２が互いに所定の間隔をあけて並列に配置される限り、第１及び第２カーテンレール１１，１２はそれぞれが別に独立した市販のカーテンレールを用いても良い。この場合には市販のカーテンレールを用いることができ、市販のカーテンレールには、その長さ方向に続く蟻溝を有するチャンネル型レールと、スリットのないパイプ型レールがあり、いずれのレールであっても本発明の第１及び第２カーテンレール１１，１２として用いることができる。
【００２７】
また、上述した実施の形態では、第１及び第２カーテンレール１１，１２が取付ブラケット１５を介して壁面に固定される場合を説明したが、第1及び第2カーテンレール１１，１２は互いに所定の間隔をあけて並列に配置される限り、第１及び第２カーテンレール１１，１２を天井に設けても良い。
更に、上述した実施の形態では、棒状の吊桿１７にカーテン生地１８が吊設されたパネルスクリーン１６を説明したが、パネルスクリーン１６は、吊桿１７にシート状物を吊設させたものであっても良く、吊桿１７に板材を吊設させたものであっても良い。このように吊設するものを変更可能な吊桿１７を備えれば、その吊桿１７に吊設されるものを変更するだけの比較的単純な作業で、見栄えの異なるパネルスクリーン１６を得ることが可能になる。
【図面の簡単な説明】
【００２８】
【図１】本発明実施形態の遮蔽装置の側面図である。
【図２】その遮蔽装置のパネルスクリーンが畳み込まれた状態を示す正面図である。
【図３】図２の下面図である。
【図４】図２のＡ部拡大図である。
【図５】図４のＢ−Ｂ線断面図である。
【図６】図４のＣ−Ｃ線断面図である。
【図７】３枚のパネルスクリーンの上部を後面側から見た拡大図である。
【図８】その３枚のパネルスクリーンの位置関係を示す上面図である。
【符号の説明】
【００２９】
１１  第１カーテンレール
１２  第２カーテンレール
１３  第１ランナ
１４  第２ランナ
１６  パネルスクリーン
１７  吊桿
１８  カーテン生地
１９  ウエイトバー
２２  揺動部材
２３  面ファスナ
２４  上部スライダ
２６  連結材
【図１】
0005430827.tif 000002
【図２】
0005430827.tif 000003
【図３】
0005430827.tif 000004
【図４】
0005430827.tif 000005
【図５】
0005430827.tif 000006
【図６】
0005430827.tif 000007
【図７】
0005430827.tif 000008
【図８】
0005430827.tif 000009